(57)【要約】【課題】  自重のみの押圧で自力揺動運動を行うことにより、椎骨を刺激して可動性を高めて、健康を取り戻すことを可能とする、安価で簡便な整体クッションを提供すること。【解決手段】  椎骨の横突起を押圧しつつ棘突起を把持し、自力揺動運動するには、球面様凸部（１）を曲面が交接する位置関係で垂直水平に連続配列し、交接面にはスリット凹部（２）を設け、横突起を押圧する球面様凸部（１）に可動性を与えるとともに、体圧が掛かると下方に圧縮され、弾性変形により側方を突出させて、縦方向のスリット凹部（２）にある棘突起を左右から押圧・把持する構造をなし、台座部（３）で一体化した軟らかな弾性体で作られたクッションであり、仰臥位で左右に自力揺動運動することにより、多数個の椎骨を同時に、左右・上下に揺動して、骨の可動性を高め、整列を促す整体クッショを提供する。【選択図】図１
0003127500.tif 000002
【実用新案登録請求の範囲】
【請求項１】
椎骨の横突起を押圧しつつ棘突起を把持し、自力揺動運動するには、球面様凸部（１）を曲面が交接する位置関係で垂直水平に連続配列し、交接面にはスリット凹部（２）を設け、横突起を押圧する球面様凸部（１）に可動性を与えるとともに、体圧が掛かると下方に圧縮され、弾性変形により側方を突出させて、縦方向のスリット凹部（２）にある棘突起を左右から押圧・把持する構造をなし、台座部（３）で一体化した軟らかな弾性体で作られたクッションであり、仰臥位で左右に自力揺動運動をすることにより、多数個の椎骨を同時に、左右・上下に揺動して、骨の可動性を高め、整列を促す整体クッション。
【請求項２】
前記の一体化した軟らかな弾性体で作られたクッションは、全体を屈曲、伸展することが可能であり、かつ頂点位置を変位できることを特徴とする請求項１の整体クッション。
【請求項３】
前記の横突起を押圧する球面様凸部（１）の先端形状は、曲面を有することを特徴とする請求項１の整体クッション。
【請求項４】
前記の横突起を押圧する球面様凸部（１）の頂点間の距離は、３ｃｍ以上７ｃｍ以下の範囲であり、また圧縮時の頂点高さは、２ｃｍ以上６ｃｍ以下の範囲であることを特徴とする請求項１の整体クッション。
【請求項５】
前記のスリット凹部（２）の形状はＶ字状又はＵ字状が好ましく、スリットの幅は、０．５ｃｍ以上３ｃｍ以下の範囲であることを特徴とする請求項１の整体クッション。
【考案の詳細な説明】
【技術分野】
【０００１】  本考案は、弾性体の反発力を活用して自力揺動運動を行い、骨の整列を促す整体クッションに関するもの。
【背景技術】
【０００２】  従来から、弾性体やクッション体を使用して、指圧、整骨やマッサージを目的とするものが、以下のように開示されている。
例えば、指圧目的としては中山式快癒器が有名であるが、その改良型と思われる下記特許文献１では、円錐形の指圧用筒状の突起部にゴムの半球状の指頭部を持つ指圧器があり、隣接間隔を３段階に変更可能とし、工夫により、弾性変位を可能としている。
下記特許文献２の指圧クッション材料では、先端が半球状の偶数個の円筒体を支持部に嵌入し、その下部にクッション体を持ち、適度に移動が可能なものであり、適度に指圧するものがある。
下記特許文献３の健康押圧器では、硬質テニスボール単体を皿状の取付け部品と接着し、リンクを介して連結し、ツボを押圧するものがある。
下記特許文献４の治療用枕では、４つの構成要素面を持つ支持面で後頭骨を保持し、静止圧による生理学的弛緩を促し、支持面間に幾らかの移動を許して、頭蓋仙骨の調整をする治療枕があり、傾動し振り子運動は可能である。
下記特許文献５のこぶを備えるバックレストデバイスでは、こぶ間のチャンネルに背骨にほぼ圧力を掛けずに骨を収容するクッションがある。
最後にマッサージ効果を得る、下記特許文献６のクッションマットでは、平行し隣接した袋体に多数の球殻を連続させた弾発性を持つ中空管のクッション部材を収納し、球面で背部筋を刺激するものがある。
【特許文献１】公開実用昭和５５−１８０５３０
【特許文献２】公開実用昭和５５−１４６１４２
【特許文献３】登録番号第３０２２５０２号
【特許文献４】特表平１０−５０９９０４
【特許文献５】特表平９−５０８３００
【特許文献６】特開平８−１９６３８９
【考案の開示】
【考案が解決しようとする課題】
【０００３】  しかしながら、指圧・押圧目的である特許文献１のゴムの半球状の指頭部は、横突起を押圧しつつ相対揺動が可能と記載されているが、棘突起を把持せずに、１対〜３対の離れた横突起を揺動しても整体効果は期待できず、ゴム指頭部の弾性では振幅もわずかであり、非常に痛いものと思われる。
特許文献２の指圧クッション材料は、先端が半球状の円筒体の下部に大径のフランジを持ち支持部に嵌入する構造のため、円筒体を近接できず棘突起は把持できない。下部にクッション体を持つため揺動は可能であり、振幅は前記より大きくなるが、硬質ゴム製であっても非常に痛いものと思われ、整体効果は期待できない。
特許文献３の健康押圧器は、硬質テニスボールが押圧具であるが、体重の加圧程度ではわずかな圧縮が起こるだけであり、逆に内部膨張することで側面の硬さが増加し、棘突起に当たると痛みを感じる。また、ボールを皿状の取付け部品と接着し、下部をリンクで固定しているため、更にボールの変形量が減少し、わずかな弾性では棘突起を把持できず、殆ど揺動できないと思われる。ツボの押圧が目的であり、外面形状が類似するので取り上げたが、構造、機能は似て非なるものであり、整体効果は期待できない。
整骨を目的とする、特許文献４の治療用枕は、後頭骨を４つのパッドに載せて、頭蓋の重さで静止圧を掛けつつ、生理的弛緩を起こさせる枕であり、頭蓋仙骨療法で使うものと考える。硬いベース面がゆりかごのように前後左右に揺動できるが、運動方向は左右への回転であり、使用時はゆっくり傾動するものであり、左右へ運動圧を掛けるものではない。サイズの記載がないため想定となるが、後頭骨を４点で保持するためのパッドは厚みを必要とせず、幾らかの相対的な移動を許してとの記述から、厚さは１ｃｍ強と考えられる。従って、棘突起を把持して左右に揺動できるものではなく、椎骨への整体効果は期待できない。
診療所における姿勢矯正に使用される、特許文献５のバックレストデバイスは、こぶ間のチャンネル内に、背骨にほぼ圧力を掛けずに骨を収容するクッションであり、支持表面は十分な剛性を有し、面積が５ｃｍ２以下との記述から、棘突起は把持できず、横突起を押圧しつつ揺動運動することは不可能ではないが、相当に痛く不安定であると思われ、揺動運動による整体効果は期待できない。
最後にマッサージ効果を得る、特許文献６のクッションマットは、平行し隣接した袋体に弾発性を持つ中空管のクッション部材を収納し、球面で背部筋をランダムに刺激するものであり、横突起に押圧はかかるが体圧は分散され、棘突起は把持できず、揺動運動とはならないため整体効果は期待できない。
以上、開示されている特許の問題点を確認したが、球面状の押圧部を持ち、棘突起を把持して揺動運動が行え、椎骨に左右・上下への運動圧を加えられるものは存在しない。
【課題を解決するための手段】
【０００４】  椎骨の横突起を押圧しつつ棘突起を把持し、自力揺動運動するには、球面様凸部（１）を曲面が交接する位置関係に垂直水平に連続配列して、交接面にはスリット凹部（２）を設け、横突起を押圧する球面様凸部（１）に可動性を与えるとともに、体圧が掛かると下方に圧縮され、弾性変形により側方を突出させて、縦方向のスリット凹部（２）にある棘突起を左右から押圧・把持する構造をなし、台座部（３）で一体化した軟らかい弾性体で作られたクッションであり、仰臥位で左右に自力揺動運動することにより、多数個の椎骨を同時に、左右・上下に揺動して、骨の可動性を高め、筋肉群の固有受容器に正しい位置情報を与え、骨の整列を促し、健康を取り戻すことを可能とする、安価で簡便な整体クッションを提供する。
【考案の効果】
【０００５】１．骨格の整列誘導（胸椎、腰椎、頸椎、後頭骨、骨盤）
２．肩こり・背部痛の改善
３．腰痛の予防
４．腹筋・臀筋・背筋強化によるダイエット効果
５．椎骨、椎間板、靭帯、椎間関節、筋肉群の代謝活性化
６．ストレスの改善（頭痛、めまい、いらいら）
【考案を実施するための最良の形態】
【０００６】  以下、図面を用いて本考案を詳細に説明する。図１と図２は、本考案の実施形態を示す概略説明図であり、押圧用の球面様凸部（１）を６個持つ例である。
【実施例１】
【０００７】  本考案の整体クッションは、軟らかな弾性を有する押圧用の球面様凸部（１）を６個持ち、縦方向のスリット凹部（２）は棘突起を保護し、前方への押圧を回避している。
曲面を持つ球面様凸部（１）は横突起の数個を曲面上部で押圧し、数個を窪み部（４）で側面から接触する構造であり、体圧が掛かると球面様凸部は下方に圧縮され、弾性変形により側方を突出させて、棘突起を左右から押圧・把持する。
この状態では、静止圧のみが掛かっており、これだけでも一部椎骨は整列する可能性があるが、更に、左右への揺動運動を行うことで、運動圧が加わり、骨の左右・上下への可動性を高めて、骨を支える筋肉群の固有受容器に正しい位置情報及び緊張・弛緩情報を与え、骨の整列を促す整体クッションである。【０００８】  ここで骨と筋肉の関係について言及する。
骨は左右対称の多くの筋肉群で均等な筋力で支えられ、正常位置に整列しているが、いずれかの筋肉が過緊張又は弛緩状態を起こすと骨は歪んでしまう。
骨には左右均等な筋力と左右・上下への適度な可動性が必要である。
筋肉は、筋腹に筋紡錘、腱側にゴルギ腱器官という固有受容器を持っており、これらで位置情報と緊張・弛緩情報を管理しているが、情報が間違っていると骨は歪む。
そこで、骨に左右・上下方向への可動性を与え、左右均等な筋力に正すための揺動運動を行い、筋肉群の過緊張を解消させ、正しい情報を固有受容器に与え直して、骨の整列を促すことが必要となる。
揺動運動の有効性は、従来から西式健康法などで周知のことであるが、身体全体を金魚のように揺動するもので、椎骨を直接揺動するという発想は過去に存在しない。
骨の矯正方法は、スラストで瞬発圧を掛けるか、生理学的弛緩を待つか、整体法のように操体するか、気功で自然治癒力を高めるか等であったが、軟らかな弾性体でも棘突起と横突起に連続して均等圧を掛け続ければ、骨の整列を促せることを発見した。【０００９】  本考案は、骨の整列を促すために揺動運動するため、軟らかな弾性材料を使用した整体クッションである。
骨及び筋肉群に均等な押圧を加えて、筋肉群が痛くならない球面様凸部（１）の形状が必要であり、かつ圧縮され易い形状と材質を考慮する必要がある。
請求項２には、脊椎のＳ字カーブを意識して、全体を屈曲（前曲げ）、伸展（後反り）することが可能であり、かつ頂点位置を指で摘み寄せて変位できることを記述している。
請求項３には、球面様凸部（１）の先端形状は、連続または不連続の曲面であることを記述し、押圧しても筋肉群が痛くならないよう配慮している。
請求項４には、球面様凸部（１）の頂点間の距離は、棘突起と横突起・乳頭突起の左右位置を考慮して、３ｃｍ以上７ｃｍ以下の範囲であり、５〜６ｃｍが好ましい距離である。
３ｃｍ未満７ｃｍ超では横突起を垂直に押圧出来ない。
また圧縮時の頂点高さは、棘突起と横突起の上下位置を考慮して、２ｃｍ以上７ｃｍ以下の範囲とし、３〜５ｃｍが好ましい高さである。２ｃｍ未満では棘突起は床面に当たり、７ｃｍ超では身体の伸展（後反り）時に厳しい。
請求項５には、スリット凹部（２）の形状はＶ字状又はＵ字状が好ましく、棘突起の幅を考慮して、スリット上部の幅は、０．５ｃｍ以上３ｃｍ以下の範囲とした。
脊椎には生理的Ｓ字カーブがあるため、球面様凸部（１）の個数は６個から１０個が適当であり、球面様凸部（１）を多くするほど、接触部の面積を小さくて、一定の長さをキープすることが望ましいと考える。
材質については、ポリウレタン類が好ましいが、その他ゴム類、プラスチック類、ビニール類など、適度な柔軟性・弾力性を有するものであれば使用可能である。
【実施例２】
【００１０】  図３は左右方向への運動圧に耐えるため、左右方向に台座部（３）を拡幅し、球面様凸部（２）から台座部（３）にかけて傾斜をつけて強度アップした形状例である。
【実施例３】
【００１１】  図４は腰椎の横突起はやや強度が劣るため、球面様凸部（２）の接触点を狭め、乳頭突起を押圧する位置に近付けた形状例である。【００１２】  ここで参考までに、具体的な使用方法を記述する。
腰椎から胸椎の調整は、６点支持で縦方向にフラット使用し、縦スリット凹部（２）で棘突起を把持し、体を左右に小さく揺動運動して、静止後ゆっくり呼吸の調整を行う。
頚椎・後頭骨の調整は、胸椎１・２番で下方２点を支持し、クッション全体を縦方向に伸展（後反り）させて使用し、上方２点を後頭骨下縁に合わせ、頚椎を伸展させながら、左右に首振り運動を行う。
後頭骨の調整は、下方２点で後頭骨を保持し、左右にゆっくり傾け、当りの強い球面側を見つけ、後頭骨を傾動したまま、９０秒間保持する。
骨盤の調整は、クッションを横方向に使用し、体を左右にやや大きく揺動運動する。
最後にリラクゼーション効果を得るため、後頭骨を４点で保持し、数分間呼吸を整える。
【産業上の利用可能性】
【００１３】  腰痛防止対策職場である運輸業界、介護・看護職場、重筋労働職場などでの腰痛予防に、又、肩こり、背部痛で悩む事務系職場でも健康管理に活用できる。
【図面の簡単な説明】
【００１４】
【図１】本考案の整体クッションの実施例１を示す概略平面図である。
【図２】本考案の整体クッションの実施例１を示す概略斜視図である。
【図３】本考案の整体クッションの実施例２を示す概略側面図である。
【図４】本考案の整体クッションの実施例３を示す概略側面図である。
【符号の説明】
【００１５】  １：球面様凸部（１）
２：スリット凹部（２）
３：台座部（３）
４：窪み部（４）
【図１】
0003127500.tif 000003
【図２】
0003127500.tif 000004
【図３】
0003127500.tif 000005
【図４】
0003127500.tif 000006